(57)【要約】【課題】本発明は、軽薄短小で光損失を減らすことができるバックライトアセンブリ及びこれを有する液晶表示装置を提供する。  また、本発明は、このようなバックライトアセンブリを含む液晶表示装置を提供する。【解決手段】液晶パネルに光を提供するランプアセンブリと、前記ランプアセンブリから放射される前記光を案内する導光フィルムと、前記ランプアセンブリと前記導光フィルムとの間の空隙に介在して前記ランプアセンブリから放射された光を前記導光フィルムに案内する導光性ゲルと、前記導光フィルム上部に積層され、前記導光フィルムから伝えられた光を拡散、及び集光する光学シートと、前記ランプアセンブリ、前記導光フィルム、及び前記光学シートを収納する上部及び下部収納容器と、を有する。【選択図】図４
2006338019.tif 000002
【特許請求の範囲】
【請求項１】
液晶パネルに光を提供するランプアセンブリと、
前記ランプアセンブリから放射される前記光を案内する導光フィルムと、
前記ランプアセンブリと前記導光フィルムとの間の空隙に介在して前記ランプアセンブリから放射された光を前記導光フィルムに案内する導光性ゲルと、
前記導光フィルム上部に積層され、前記導光フィルムから伝えられた光を拡散、及び集光する光学シートと、
前記ランプアセンブリ、前記導光フィルム、及び前記光学シートを収納する上部及び下部収納容器と、を有することを特徴とするバックライトアセンブリ。
【請求項２】
前記導光性ゲルは、前記導光フィルムと同様の屈折率を有する物質から成ることを特徴とする請求項１に記載のバックライトアセンブリ。
【請求項３】
前記ランプアセンブリと前記導光フィルムは厚さが相異なることを特徴とする請求項１に記載のバックライトアセンブリ。
【請求項４】
前記導光性ゲルは、前記ランプアセンブリから前記導光フィルムまで傾斜した断面を有することを特徴とする請求項３に記載のバックライトアセンブリ。
【請求項５】
前記導光性ゲルは、導光性アクリル系物質から成ることを特徴とする請求項１に記載のバックライトアセンブリ。
【請求項６】
前記導光性ゲル内に分布され、導光性ゲルを通過する光の均一度を向上させる拡散剤をさらに含むことを特徴とする請求項１に記載のバックライトアセンブリ。
【請求項７】
前記拡散剤は、ＰＭＭＡ（ＰｏｌｙＭｅｔｈｙｌＭｅｔｈＡｃｒｙｌａｔｅ）、ＰＣ（ＰｏｌｙＣａｒｂｏｎａｔｅ）、ＰＥＴ（ＰｏｌｙＥｔｈｙｌｅｎｅＴｅｒｅｐｈｔｈａｌａｔｅ）、またはＣＯＰ（Ｃｙｃｌｏ  Ｏｌｅｆｉｎ  Ｐｏｌｙｍｅｒ）で形成されることを特徴とする請求項６に記載のバックライトアセンブリ。
【請求項８】
前記拡散剤は、約５〜２０ｎｍの直径を有する複数の微粒子で構成されることを特徴とする請求項６に記載のバックライトアセンブリ。
【請求項９】
前記導光フィルムは可撓性を有し、ＰＭＭＡ、ＰＣ、ＰＥ（ＰｏｌｙＥｔｈｙｌｅｎｅ）、またはＰＥＴで形成されることを特徴とする請求項１に記載のバックライトアセンブリ。
【請求項１０】
液晶パネルに光を提供するランプアセンブリと、
前記ランプアセンブリから放射される前記光を案内する導光フィルムと、
前記ランプアセンブリと前記導光フィルムとの間の空隙の上部を覆って前記ランプアセンブリから漏れる光を前記導光フィルムに反射する反射蓋部と、
前記導光フィルム上部に積層され、前記導光フィルムから伝えられた光を拡散、及び集光する光学シートと、
前記ランプアセンブリ、前記導光フィルム及び前記光学シートを収納する上部及び下部収納容器と、を有することを特徴とするバックライトアセンブリ。
【請求項１１】
前記反射蓋部は、銀がコーティングされたフィルムで形成されることを特徴とする請求項１０に記載のバックライトアセンブリ。
【請求項１２】
前記反射蓋部は、Ｖｉｋｕｉｔｉ（登録商標）ＥＳＲ（Ｅｎｈａｎｃｅｄ  Ｓｐｅｃｕｌａｒ  Ｒｅｆｌｅｃｔｏｒ）で形成されることを特徴とする請求項１０に記載のバックライトアセンブリ。
【請求項１３】
前記導光フィルムの下部から前記ランプアセンブリの下部まで延長されて形成され、前記光を上部に反射する反射シートをさらに有することを特徴とする請求項１０に記載のバックライトアセンブリ。
【請求項１４】
前記空隙に介在して前記ランプアセンブリから放射された光を前記導光フィルムに案内する導光性ゲルをさらに有することを特徴とする請求項１０に記載のバックライトアセンブリ。
【請求項１５】
前記導光性ゲルは、前記導光フィルムと同様の屈折率を有する物質から成ることを特徴とする請求項１４に記載のバックライトアセンブリ。
【請求項１６】
前記ランプアセンブリと前記導光フィルムは厚さが相異なることを特徴とする請求項１４に記載のバックライトアセンブリ。
【請求項１７】
前記導光性ゲルは、前記ランプアセンブリから前記導光フィルムまで傾斜した断面を有することを特徴とする請求項１６に記載のバックライトアセンブリ。
【請求項１８】
前記導光性ゲルは、導光性アクリル系物質から成ることを特徴とする請求項１４に記載のバックライトアセンブリ。
【請求項１９】
前記導光性ゲル内に分布され、導光性ゲルを通過する光の均一度を向上させる拡散剤をさらに含むことを特徴とする請求項１４に記載のバックライトアセンブリ。
【請求項２０】
前記拡散剤は、ＰＭＭＡ、ＰＣ、ＰＥＴ、またはＣＯＰで形成されることを特徴とする請求項１９に記載のバックライトアセンブリ。
【請求項２１】
前記拡散剤は、約５〜２０ｎｍの直径を有する複数の微粒子で構成されることを特徴とする請求項１９に記載のバックライトアセンブリ。
【請求項２２】
前記導光フィルムは可撓性を有し、ＰＭＭＡ、ＰＣ、ＰＥ、またはＰＥＴで形成されることを特徴とする請求項１０に記載のバックライトアセンブリ。
【請求項２３】
液晶パネルに光を提供するランプアセンブリと、
前記ランプアセンブリから放射される前記光を案内する導光板と、
前記ランプアセンブリと前記導光板との間の空隙に介在して前記ランプアセンブリから放射された光を前記導光板に案内する導光性ゲルと、
前記導光性ゲルの上部を覆って前記ランプアセンブリから漏れる光を前記導光板に反射する反射蓋部と、
前記導光板上部に積層され、前記導光板から伝えられた光を拡散、及び集光する光学シートと、
前記ランプアセンブリ、前記導光板及び前記光学シートを収納する上部及び下部収納容器と、を有することを特徴とするバックライトアセンブリ。
【請求項２４】
画像情報を表示する液晶パネルアセンブリと、
前記液晶パネルアセンブリに光を提供する請求項１乃至請求項２３のいずれか一項に記載のバックライトアセンブリと、を有することを特徴とする液晶表示装置。
【発明の詳細な説明】
【技術分野】
【０００１】
本発明はディスプレイ装置に係り、より具体的にはバックライトアセンブリ及びこれを有する液晶表示装置に関する。
【背景技術】
【０００２】
一般的に使われている表示装置のうちの一つである陰極線管（ＣＲＴ；Ｃａｔｈｏｄｅ  Ｒａｙ  Ｔｕｂｅ）はテレビをはじめとして計測機器、情報端末機器などのモニタに主に利用されているが、陰極線管の自重と大きさによって電子製品の小型化、軽量化の要求に積極的に対応することができなかった。
【０００３】
液晶表示装置は、このような陰極線管を代替えするために小型、軽量化及び低消費電力等のような長所を有しており、液晶パネルの内部に注入された液晶の電気、光学的性質を利用して情報を表示する液晶表示装置が活発に開発してきたのであり、最近では平板表示装置としての役割を果たしている。一般的に液晶表示装置は低消費電力及び軽量、小さな体積を有するディスプレイ装置であって、液晶表示装置はこのような特有の長所によって産業全般例えば、コンピュータ産業、電子産業、情報通信産業等に幅広く応用されている実情があり、このような長所を有する液晶表示装置は携帯用コンピュータのディスプレイ装置及びデスクトップコンピュータのモニタ、高画質映像機器のモニタなどの幅広い分野に多様に適用されている。
【０００４】
液晶表示装置は大別してＴＮ（Ｔｗｉｓｔｅｄ  Ｎｅｍａｔｉｃ）方式とＳＴＮ（Ｓｕｐｅｒ−Ｔｗｉｓｔｅｄ  Ｎｅｍａｔｉｃ）方式に分けられて、駆動方式の差でスイッチング素子及びＴＮ液晶を利用したアクティブマトリックス（Ａｃｔｉｖｅ  ｍａｔｒｉｘ）表示方式とＳＴＮ液晶を利用したパッシブマトリックス（ｐａｓｓｉｖｅ  ｍａｔｒｉｘ）表示方式がある。
【０００５】
これら二方式の大きい相違点として、アクティブマトリックス表示方式はＴＦＴ−ＬＣＤに使われ、これはＴＦＴをスイッチで利用してＬＣＤを駆動する方式であって、パッシブマトリックス表示方式はトランジスタを使わないためこれに関連した複雑な回路を必要としない。ＴＦＴを利用したＬＣＤは最近では携帯用コンピュータの普及によって広く使われている。
【０００６】
液晶パネルアセンブリは２個の基板、たとえば、ＴＦＴ基板及びカラーフィルタ基板が合着されてその間に異方性誘電率を有する液晶物質が注入されて形成された液晶パネルと、ＣＯＧ（ｃｈｉｐ  ｏｎ  ｇｌａｓｓ）方式により液晶パネル上に実装されて液晶パネルに形成されたゲートライン及びデータラインにそれぞれ駆動信号を印加する駆動ＩＣと、駆動ＩＣに所定のデータ及び制御信号を伝送する外部印刷回路基板を相互に連結するためのフレキシブル印刷回路基板等を含む。このような液晶パネルアセンブリは導光板、ランプアセンブリ及び各種光学シートを含むバックライトアセンブリに収納されて液晶表示装置を構成するようになる。
【０００７】
従来の液晶表示装置の場合、導光板の厚さはランプアセンブリの厚さにより決定される。すなわち、中小型液晶表示装置におけるランプアセンブリでＬＥＤ（Ｌｉｇｈｔ  Ｅｍｉｔｔｅｄ  Ｄｉｏｄｅ）を利用する場合、ランプアセンブリから導光板に伝えられる光の効率を最大化して光漏れを防止するために導光板の厚さをランプアセンブリの厚さと同じに設計する。
【０００８】
最近になって軽薄短小な液晶表示装置に対する市場の要求が増加するにしたがって、導光板の厚さを減少させる必要性が台頭してきた（例えば、特許文献１参照）。但し、ランプアセンブリに比べて導光板の厚さが薄くなる場合、ランプアセンブリと導光板間の厚さの差による光漏れ現象が問題になっている。
【０００９】
【特許文献１】特開平０８−１５２５２６号公報
【発明の開示】
【発明が解決しようとする課題】
【００１０】
そこで、本発明は上記従来のバックライトアセンブリにおける問題点に鑑みてなされたものであって、本発明の目的は、軽薄短小で光損失を減らすことができるバックライトアセンブリを提供することにある。
【００１１】
また、本発明の他の目的は、このようなバックライトアセンブリを有する液晶表示装置を提供することにある。
【課題を解決するための手段】
【００１２】
上記目的を達成するためになされた本発明によるバックライトアセンブリは、液晶パネルに光を提供するランプアセンブリと、前記ランプアセンブリから放射される前記光を案内する導光フィルムと、前記ランプアセンブリと前記導光フィルムとの間の空隙に介在して前記ランプアセンブリから放射された光を前記導光フィルムに案内する導光性ゲルと、前記導光フィルム上部に積層され、前記導光フィルムから伝えられた光を拡散、及び集光する光学シートと、前記ランプアセンブリ、前記導光フィルム、及び前記光学シートを収納する上部及び下部収納容器と、を有することを特徴とする。
【００１３】
また、上記目的を達成するためになされた本発明によるバックライトアセンブリは、液晶パネルに光を提供するランプアセンブリと、前記ランプアセンブリから放射される前記光を案内する導光フィルムと、前記ランプアセンブリと前記導光フィルムとの間の空隙の上部を覆って前記ランプアセンブリから漏れる光を前記導光フィルムに反射する反射蓋部と、前記導光フィルム上部に積層され、前記導光フィルムから伝えられた光を拡散、及び集光する光学シートと、前記ランプアセンブリ、前記導光フィルム及び前記光学シートを収納する上部及び下部収納容器と、を有することを特徴とする。
【００１４】
また、上記目的を達成するためになされた本発明によるバックライトアセンブリは、液晶パネルに光を提供するランプアセンブリと、前記ランプアセンブリから放射される前記光を案内する導光板と、前記ランプアセンブリと前記導光板との間の空隙に介在して前記ランプアセンブリから放射された光を前記導光板に案内する導光性ゲルと、前記導光性ゲルの上部を覆って前記ランプアセンブリから漏れる光を前記導光板に反射する反射蓋部と、前記導光板上部に積層され、前記導光板から伝えられた光を拡散、及び集光する光学シートと、前記ランプアセンブリ、前記導光板及び前記光学シートを収納する上部及び下部収納容器と、を有することを特徴とする。
【００１５】
上記目的を達成するためになされた本発明による液晶表示装置は、画像情報を表示する液晶パネルアセンブリと、前記液晶パネルアセンブリに光を提供する本発明によるバックライトアセンブリとを有することを特徴とする。
【発明の効果】
【００１６】
本発明に係るバックライトアセンブリ及びこれを有する液晶表示装置によれば、バックライトアセンブリを軽薄短小で光損失を最小化することができるという効果がある。
【発明を実施するための最良の形態】
【００１７】
本発明の利点及び特徴、そしてそれらを達成する方法は添付した図面と共に詳細に後述する実施形態を参照することで明確になる。しかし本発明は以下で開示する実施形態に限られることではなく相異なる多様な形態で具現することが可能であり、単に本実施形態は本発明の開示を完全なようにし、本発明が属する技術分野で通常の知識を有する者に発明の範ちゅうを完全に知らせるために提供することであり、本発明は請求項の範ちゅうにより定義されるだけである。明細書全体にかけて同一参照符号は同一構成要素を指称する。
【００１８】
本発明に使われる液晶表示装置ではＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、携帯用ＤＶＤ（Ｄｉｇｉｔａｌ  Ｖｅｒｓａｔｉｌｅ  Ｄｉｓｋ）プレーヤー、携帯電話（ｃｅｌｌｕｌａｒｐｈｏｎｅ）等がある。以下、説明の便宜上、携帯電話を利用して本発明の液晶表示装置を説明する。但し、本発明はこれに限られないし、先に言及した液晶表示装置を含む。
【００１９】
次に、本発明に係るバックライトアセンブリ及びこれを有する液晶表示装置を実施するための最良の形態の具体例を、図面を参照しながら説明する。
【００２０】
図１は、本発明の一実施形態による液晶表示装置を示す分解斜視図であり、図２は図１の液晶表示装置を組み立てた後の斜視図であり、図３は、図２のＡ−Ａ’線に沿って切開した断面図である。
【００２１】
図１ないし図３を参照すると、本発明による液晶表示装置（ｌｉｑｕｉｄ  ｃｒｙｓｔａｌ  ｄｉｓｐｌａｙ）１００は全体的に見て液晶パネルアセンブリ（ｌｉｑｕｉｄ  ｃｒｙｓｔａｌ  ｐａｎｅｌ  ａｓｓｅｍｂｌｙ）１３０とバックライトアセンブリ（ｂａｃｋ  ｌｉｇｈｔ  ａｓｓｅｍｂｌｙ）１５０を含む。
【００２２】
ここで、液晶パネルアセンブリ１３０はＴＦＴ基板１３３、カラーフィルタ基板１３４を含む液晶パネル１３５、液晶（図示せず）、駆動ＩＣ１３１及びフレキシブル印刷回路基板１１０等で構成される。
【００２３】
液晶パネル１３５は印加される電圧の強さによって液晶層（図示せず）を通過する光の透過率が調節され、これによって文字、数字、任意のアイコンなどの画像情報を表示する装置で、ＴＦＴ基板１３３、カラーフィルタ基板１３４及び液晶（図示せず）を含む。
【００２４】
ＴＦＴ基板１３３は複数個のゲートライン、データライン、画素電極を含む。ゲートラインは行方向にのびていてゲート信号を伝達して、データラインは列方向にのびていてデータ信号を伝達する。画素はゲートラインとデータラインに連結され、スイッチング素子と維持キャパシタを含む。
【００２５】
ここでスイッチング素子はゲートラインとデータラインの交差点に形成されて、スイッチング素子の出力端子には維持キャパシタ及び液晶キャパシタが連結される。また、スイッチング素子は非晶質シリコーン（ａｍｏｒｐｈｏｕｓ  ｓｉｌｉｃｏｎ）、多結晶シリコーン（ｐｏｌｙ−ｓｉｌｉｃｏｎ）をチャネル層にする薄膜トランジスタで具現される。
【００２６】
維持キャパシタの他の端子は共通電圧（ｃｏｍｍｏｎ  ｖｏｌｔａｇｅ）に連結されたり、真上のゲートラインと連結されたりする。ここで、前者の連結方式は独立配線方式（ｓｅｐａｒａｔｅ  ｗｉｒｅ  ｔｙｐｅ）といっており、後者の連結方式は前段ゲート方式（ｐｒｅｖｉｏｕｓ  ｇａｔｅ  ｔｙｐｅ）という。
【００２７】
カラーフィルタ基板１３４はＴＦＴ基板１３３上に位置して各画素毎に色相が表示されることができるように画素電極に対応する領域に赤色、緑色、または青色のカラーフィルタを具備する。ここでカラーフィルタは画素電極の上部または下部に形成することができる。また、カラーフィルタ上にはＩＴＯ（Ｉｎｄｉｕｍ  Ｔｉｎ  Ｏｘｉｄｅ）またはＩＺＯ（Ｉｎｄｉｕｍ  Ｚｉｎｃ  Ｏｘｉｄｅ）等のような透明導電物質からなった共通電極が形成される。
【００２８】
液晶層（図示せず）はカラーフィルタ基板１３４とＴＦＴ基板１３３との間に充填されて、誘電率異方性を有する。液晶層（図示せず）の厚さは５μｍ程度でありＴＮ（Ｔｗｉｓｔｅｄ  Ｎｅｍａｔｉｃ）配列をする。液晶層（図示せず）は外部から印加される電圧により配列方向が変化して液晶層（図示せず）を通過する光の透過率を調節する。
【００２９】
一方、液晶パネル１３５を構成するＴＦＴ基板１３３、カラーフィルタ基板１３４及び液晶層（図示せず）は液晶キャパシタを構成して、このように構成された液晶キャパシタはスイッチング素子の出力端子と共通電圧または基準電圧（ｒｅｆｅｒｅｎｃｅ  ｖｏｌｔａｇｅ）と連結される。
【００３０】
駆動ＩＣ１３１は入力端子を介してフレキシブル印刷回路基板１１０からゲート制御信号、データ制御信号及びこれと関連したデータ信号等を受信して、出力端子を介してゲート駆動信号及びデータ駆動信号をＴＦＴ基板１３３上に形成されたゲートラインとデータラインにそれぞれ提供するための集積回路である。これにより、液晶パネル１３５上に希望するイメージを具現することができる。
【００３１】
このような駆動ＩＣ１３１はＴＦＴ基板１３３のカラーフィルタ基板１３４と対応する画像表示領域外のＴＦＴ基板１３３上に実装されて、この時その出力端子が画像表示領域から延長されて出てきたゲートライン及びデータラインにそれぞれ連結されるようにＣＯＧ（ｃｈｉｐ  ｏｎ  ｇｌａｓｓ）方式などにより実装される。これにより先に説明したように、駆動ＩＣ１３１で生成されたゲート駆動信号及びデータ駆動信号がＴＦＴ基板１３３の画像表示領域に形成された各画素に伝達される。
【００３２】
フレキシブル印刷回路基板（Ｆｌｅｘｉｂｌｅ  Ｐｒｉｎｔｅｄ  Ｃｉｒｃｕｉｔ  Ｂｏａｒｄ；ＦＰＣＢ）１１０は印刷回路原版に電気配線の回路設計によって各種電子部品を連結したり部品を支えてくれたりする印刷回路基板（Ｐｒｉｎｔｅｄ  Ｃｉｒｃｕｉｔ  Ｂｏａｒｄ；ＰＣＢ）の一種であって、従来の印刷回路基板と違って可撓性を有する。
【００３３】
このようなフレキシブル印刷回路基板１１０は一般的にベースフィルムと、ベースフィルムの両端に金属薄板パターンがリード端子で配列された端子領域と、ベースフィルムの両端に配列された端子領域が相互に連結されるように金属薄板パターンが電気配線として形成されて、電気配線の保護及び絶縁のための保護膜が形成されたインターフェース領域を含む。また、インターフェース領域には複数個の貫通ホールを形成することができ、複数個の貫通ホールを介して実装された電子部品が電気配線と連結されて所定の電子回路が形成される領域をさらに含むことができる。
【００３４】
このように形成されたフレキシブル印刷回路基板１１０の一端は外部印刷回路基板（図示せず）に連結されてその他端は駆動ＩＣ１３１の入力端子と連結される。これにより外部印刷回路基板からゲート駆動信号、データ駆動信号及びこれと関連したデータ信号等を駆動ＩＣ１３１に伝達する。
【００３５】
そして、本発明の一実施形態によるバックライトアセンブリ１５０は光学シート１４１、ランプアセンブリ１４３、導光フィルム１４２、反射シート１４６、これらを収納する上部収納容器１４０及び上部収納容器１４０と結合する下部収納容器１７０を含む。
【００３６】
ここで、導光フィルム（ｌｉｇｈｔ  ｇｕｉｄｅ  ｆｉｌｍ）１４２はランプアセンブリ１４３から放射される光を案内（ｇｕｉｄｅ）する役割をする。すなわち、導光フィルム１４２はランプアセンブリ１４３から発生した光を導光フィルム１４２上部に安着される液晶パネル１３５側に進行させるようにする。したがって、導光フィルム１４２の背面には導光フィルム１４２内部に入射した光の進行方向を液晶パネル１３５側に変換させるための各種パターンが印刷されて形成することができる。また、このような導光フィルム１４２の代わりに剛性を有する導光板（ｌｉｇｈｔ  ｇｕｉｄｅ  ｐａｎｅｌ）を用いることもできる。ここで、導光フィルム１４２または導光板の材質は屈折率と透過率を考慮して適切に選択することができ、例えばポリメチルメタクリルレート（ＰｏｌｙＭｅｔｈｙｌＭｅｔｈＡｃｒｙｌａｔｅ；ＰＭＭＡ）、ポリカーボネート（ＰｏｌｙＣａｒｂｏｎａｔｅ；ＰＣ）、ポリエチレン（ＰｏｌｙＥｔｈｙｌｅｎｅ；ＰＥ）またはポリテレフタル酸エチレン（ＰｏｌｙＥｔｈｙｌｅｎｅＴｅｒｅｐｈｔｈａｌａｔｅ；ＰＥＴ）等を用いることができる。このような導光フィルム１４２または導光板はランプアセンブリ１４３より小さい厚さで形成することによって液晶表示装置の厚さを減少させることができる。以下、説明の便宜のために導光フィルムを用いて本発明を説明する。
【００３７】
ランプアセンブリ１４３は非発光素子である液晶表示装置１００に光を提供するための部材であって、上部収納容器１４０内の導光フィルム１４２の一側に挿入される。ランプアセンブリ１４３は光源及び光源カバーを含み、ランプアセンブリ１４３に使われるランプとしてはＬＥＤ（Ｌｉｇｈｔ  Ｅｍｉｔｔｅｄ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）などを用いることができる。このようなランプアセンブリ１４３は複数の点光源または線光源を含むことができる。
【００３８】
図３に示したように、ランプアセンブリ１４３より小さい厚さを有した導光フィルム１４２を用いる場合、ランプアセンブリ１４３から放射した光の損失を防止するために反射蓋部２１０がランプアセンブリ１４３と導光フィルム１４２間の空隙の上部を覆っている。反射蓋部２１０はランプアセンブリ１４３から上部に放射する光を導光フィルム１４２に反射させる役割をする。例えば、反射蓋部２１０では銀（Ａｇ）がコーティングされたフィルムまたは３Ｍ（登録商標）社で作ったＶｉｋｕｉｔｉ（登録商標）ＥＳＲ（Ｅｎｈａｎｃｅｄ  Ｓｐｅｃｕｌａｒ  Ｒｅｆｌｅｃｔｏｒ）等を用いることができる。
【００３９】
反射シート１４６は導光フィルム１４２の下部面に設置されて導光フィルム１４２の下部に放射される光を上部に反射する。反射シート１４６は導光フィルム１４２背面の微細なドットパターンにより反射されない光を再び導光フィルム１４２の出射面側に反射させることによって、液晶パネル１３５に入射する光の光損失を減らすと同時に導光フィルム１４２の出射面に伝達する光の均一度を向上させる役割をする。反射シート１４６は導光フィルム１４２の下部面からランプアセンブリ１４３の下部まで延長されて形成することによってランプアセンブリ１４３と導光フィルム１４２間の光漏れ現象を減らすことができる。
【００４０】
このような反射蓋部２１０と反射シート１４６によりランプアセンブリ１４３と導光フィルム１４２の厚さ差により発生する光漏れ現象を防止することができる。すなわち、ランプアセンブリ１４３から下に放射される光は反射シート１４６により導光フィルム１４２に案内されて、ランプアセンブリ１４３から上に放射される光は反射蓋部２１０により導光フィルム１４２に案内される。
【００４１】
そして、光学シート１４１は導光フィルム１４２の上部面に安着されて導光フィルム１４２から伝えられた光を拡散、及び集光する役割をする。光学シート１４１は拡散シート（ｄｉｆｆｕｓｉｏｎ  ｓｈｅｅｔ）、プリズムシート（ｐｒｉｓｍ  ｓｈｅｅｔ）、保護シートなどを含む。
【００４２】
導光フィルム１４２とプリズムシート間に位置した拡散シートは導光フィルム１４２から入射する光を分散させることによって光が部分的に密集することを防止する。プリズムシートは上部面に三角柱状のプリズムが一定な配列を有して形成されており、通常２枚のシートで構成されてそれぞれのプリズム配列が相互に所定の角度で行き違いに配置されて拡散シートから拡散した光を液晶パネル１３５に垂直方向に集光する役割を遂行する。これによって、プリズムシートを通過する光はほとんど大部分が垂直に進行するようになって保護シート上の輝度分布は均一に得られる。プリズムシート上に形成される保護シートはプリズムシートの表面を保護する役割を遂行するだけでなく、光の分布を均一にするために光を拡散させる役割を遂行する。また保護シートは液晶パネル１３５の表示領域の縁で発生される輝線や光漏れを防止するために縁に沿ってブラックライン（ｂｌａｃｋ  ｌｉｎｅ）（図示せず）を形成することができる。
【００４３】
ここで、小型の液晶表示装置１００の場合、導光フィルム１４２の側面に普通一つのランプが設置されるが、液晶表示装置１００が大型化されるほど十分な輝度を得るために一つのランプアセンブリ１４３に複数のランプを設置することができる。
【００４４】
液晶パネルアセンブリ１３０は光学シート１４１上に設置され、光学シート１４１と共に導光フィルム１４２上に安着される。
【００４５】
上部収納容器１４０は、直方形形状の開口部の縁に沿って側壁が形成され、側壁内に所定の引っかかり突出部（図示せず）が形成されて液晶パネルアセンブリ１３０、光学シート１４１、ランプアセンブリ１４３、導光フィルム１４２及び反射シート１４６を収容して固定させる役割を果たして、複数のシートが撓むことを防止する。そして、液晶パネルアセンブリ１３０のフレキシブル印刷回路基板１１０は上部収納容器１４０の一側壁を中心にして折曲するようになる。ここで、液晶パネルアセンブリ１３０、光学シート１４１、ランプアセンブリ１４３、導光フィルム１４２及び反射シート１４６を上部収納容器１４０に収容する方法によって上部収納容器１４０の形状は多様に変形させることができる。
【００４６】
上部収納容器１４０は、下部収納容器１７０とフック結合をすることができるように、例えば上部収納容器１４０側壁の外側面に沿ってフック１４５を形成し、このようなフック１４５と対応するフック挿入孔１７２を下部収納容器１７０の側面に形成することができる。したがって、上部収納容器１４０の下方から下部収納容器１７０を上げて結合することによって、上部収納容器１４０に形成されたフック１４５が下部収納容器１７０のフック挿入孔１７２に入って行って上部収納容器１４０と下部収納容器１７０を締結させることができる。本発明はこれに限られるのではなくて、このようなフック１４５の位置は下部収納容器１７０に位置してフック挿入孔１７２が上部収納容器１４０に形成することもできる。これだけでなく、上部収納容器１４０と下部収納容器１７０の結合は多様な形態に変形させることができる。
【００４７】
先に言及したようにランプアセンブリ１４３に使われるランプは複数の点光源、例えばＬＥＤで構成することができる。図４は、複数の点光源で構成されたランプアセンブリ１４３、導光フィルム１４２及び反射蓋部２１０の関係を示した斜視図である。この場合にも反射蓋部２１０はランプアセンブリ１４３から放射される光を効果的に導光フィルム１４２に案内することができる。
【００４８】
次に、図５を参照して本発明の他の実施形態によるバックライトアセンブリを説明する。図５は本発明の他の実施形態によるバックライトアセンブリの概略断面図である。
【００４９】
説明の便宜上、図１ないし図４の実施形態の図面に示した各部材と同一機能を有する部材は同一符号で示し、したがってその説明は省略する。本実施形態のバックライトアセンブリは、図５に示したように、次を除いては基本的に同一構造を有する。すなわち、図５に示したように、ランプアセンブリ１４３から放射される光の損失を減らすために反射蓋部を用いる代わりランプアセンブリ１４３と導光フィルム１４２間の空隙（ｇａｐ）に導光性ゲル（ｇｅｌ）２２０を介在させている。
【００５０】
ランプアセンブリ１４３から放射された光は導光性ゲル２２０を通過して導光フィルム１４２に案内することができる。ここで、導光性ゲル２２０は導光フィルム１４２と屈折率が同様の物質を用いることによって光損失を最小化することができる。また、ランプアセンブリ１４３と導光フィルム１４２間に導光性ゲル２２０を円滑に充填するために所定の粘性度を有する導光性ゲル２２０を用いることが良い。所定の粘性度を有する導光性ゲル２２０は外部の衝撃によっても容易にその位置を離脱しない。このような導光性ゲル２２０としては例えば、導光性アクリル系物質を用いることができる。図５に示したように、厚さ差を有するランプアセンブリ１４３と導光フィルム１４２を連結する導光性ゲル２２０はランプアセンブリ１４３から導光フィルム１４２まで傾斜した断面を有しており、例えば導光性ゲル２２０は台形状の断面を有することができる。
【００５１】
さらに、ランプアセンブリ１４３から導光性ゲル２２０を通過する光の均一度を向上させるために導光性ゲル２２０内に拡散剤を添加することができる。このような拡散剤としては例えば、ポリメチルメタクリルレート（ＰｏｌｙＭｅｔｈｙｌＭｅｔｈＡｃｒｙｌａｔｅ；ＰＭＭＡ）、ポリカーボネート（ＰｏｌｙＣａｒｂｏｎａｔｅ；ＰＣ）、ポリエチレン（ＰｏｌｙＥｔｈｙｌｅｎｅ；ＰＥ）、ポリテレフタル酸エチレン（ＰｏｌｙＥｔｈｙｌｅｎｅＴｅｒｅｐｈｔｈａｌａｔｅ；ＰＥＴ）またはシクロオレフィン重合体（Ｃｙｃｌｏ  Ｏｌｅｆｉｎ  Ｐｏｌｙｍｅｒ；ＣＯＰ）等の物質から形成した約５〜２０ｎｍの直径を有した複数の微粒子を用いることができる。拡散剤は導光性ゲル２２０内に適切な量で分布することが望ましい。拡散剤が過度に少なく分布する場合、光の均一度が落ちやすく、拡散剤が過度に多く分布する場合、光の均一度は向上するが拡散剤により光が分散されて光損失が大きくなるようになる。
【００５２】
また、複数の点光源で構成されたランプアセンブリ１４３を用いる場合、導光性ゲル２２０内の各点光源に対応する位置に拡散剤をさらに多く分布させることによって光の均一度を向上させることができる。
【００５３】
次に、図６を参照して本発明のさらに他の実施形態によるバックライトアセンブリを説明する。図６は本発明のさらに他の実施形態によるバックライトアセンブリの断面図である。
【００５４】
図６に示したように、本実施形態のバックライトアセンブリは反射蓋部２１０がランプアセンブリ１４３と導光フィルム１４２との間に介在した導光性ゲル２２０を覆う構造を有する。本実施形態のバックライトアセンブリは前述の図５で説明したバックライトアセンブリより光損失をさらに減らすことができる。すなわち、ランプアセンブリ１４３から放射された光は基本的に導光性ゲル２２０により導光フィルム１４２に案内されて、さらに導光性ゲル２２０の上面を介して漏れる光は反射蓋部２１０により再び導光性ゲル２２０に反射されて光損失を最小化することができる。
【００５５】
以上で説明した本発明の一実施形態による液晶表示装置は、導光フィルムの一側部にランプアセンブリを具備するウエッジ（ｗｅｄｇｅ）タイプのバックライトアセンブリを一つの例として用いることができ、フラットな平面を有する導光フィルムの両側部にランプアセンブリを具備するフラット（ｆｌａｔ）タイプのバックライトアセンブリにも同じく適用することができるものである。
【００５６】
また、上述の本発明の一実施形態では導光フィルムの側部にランプを具備するエッジ（ｅｄｇｅ）タイプのバックライトアセンブリを一例として説明したが、導光フィルムを具備しないで複数のランプを底面に配列した構造を有する直下型バックライトアセンブリにも同じく適用することができるものである。
【００５７】
尚、本発明は、上述の実施形態に限られるものではない。本発明の技術的範囲から逸脱しない範囲内で多様に変更実施することが可能である。
【産業上の利用可能性】
【００５８】
本発明はＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、携帯用ＤＶＤ（Ｄｉｇｉｔａｌ  Ｖｅｒｓａｔｉｌｅ  Ｄｉｓｋ）プレーヤー、携帯電話（ｃｅｌｌｕｌａｒｐｈｏｎｅ）等の液晶表示装置のバックライトアセンブリに適用することができる。
【図面の簡単な説明】
【００５９】
【図１】本発明の一実施形態による液晶表示装置を示す分解斜視図である。
【図２】図１の液晶表示装置を組み立てた後の斜視図である。
【図３】図２のＡ−Ａ’線に沿って切開した断面図である。
【図４】複数の点光源で構成されたランプアセンブリ、導光フィルム及び反射蓋部の関係を示した斜視図である。
【図５】本発明の他の実施形態によるバックライトアセンブリの断面図である。
【図６】本発明のさらに他の実施形態によるバックライトアセンブリの断面図である。
【符号の説明】
【００６０】
１００    液晶表示装置
１１０    フレキシブル印刷回路基板
１３０    液晶パネルアセンブリ
１３１    駆動ＩＣ
１３３    ＴＦＴ基板
１３４    カラーフィルタ基板
１３５    液晶パネル
１４０    上部収納容器
１４１    光学シート
１４２    導光フィルム
１４３    ランプアセンブリ
１４５    フック
１４６    反射シート
１５０    バックライトアセンブリ
１７０    下部収納容器
１７２    フック挿入孔
２１０    反射蓋部
２２０    導光性ゲル
【図１】
2006338019.tif 000003
【図２】
2006338019.tif 000004
【図３】
2006338019.tif 000005
【図４】
2006338019.tif 000006
【図５】
2006338019.tif 000007
【図６】
2006338019.tif 000008